(57)【要約】【課題】フィルムを装着した容器の装飾性を向上させ、かつ装飾性の自由度が高い容器を提供することである。【解決手段】外観図柄が変化可能な容器１１であって、表面に第１の図柄Ｄ１１が形成された容器本体１２と、前記容器本体１２の外周を摺接回動可能となるように前記容器本体１２に装着され、透明部分を含む筒状のフィルム２０と、を有し、前記フィルム２０に、前記透明部分を通して現れる前記第１の図柄Ｄ１１とともに前記外観図柄を構成する第２の図柄Ｄ２１が形成された構成となる。【選択図】図３
2020067432.tif 000002
【特許請求の範囲】
【請求項１】
外観図柄が変化可能な容器であって、
表面に第１の図柄が形成された容器本体と、
前記容器本体の外周を摺接回動可能となるように前記容器本体に装着され、透明部分を含む筒状のフィルムと、を有し、
前記フィルムに、前記透明部分を通して現れる前記第１の図柄とともに前記外観図柄を構成する第２の図柄が形成された、容器。
【請求項２】
前記フィルムは、透明フィルムであって、前記第２の図柄以外の部分が前記透明部分として形成された、請求項１記載の容器。
【請求項３】
前記フィルムは、不透明部分と、前記透明部分としての窓部と、を有し、
前記第１の図柄は、前記フィルムを前記容器本体の外周を摺接回動させたときの前記窓部の移動軌跡に対応する前記容器本体の領域に形成された一又は複数の図柄要素を含み、
前記不透明部分は、前記第２の図柄を含む、請求項１記載の容器。
【請求項４】
前記第１の図柄に含まれる前記一又は複数の図柄要素は、光学的に読み取り可能なコードを表すコード図柄要素を含む、請求項３記載の容器。
【請求項５】
前記容器本体には、更に、光学的に読み取り可能なコードを表すコード図柄要素、当該容器に関する情報を表す第１情報図柄要素、当該容器に収容される内容物に関する情報を表す第２情報図柄要素、及び当該容器を使用した製品の製造者及び又は販売者に関する情報を表す第３情報図柄要素の少なくとも１つを含む第３の図柄が形成され、
前記フィルムを前記容器本体の外周を摺接回動させたときにそのフィルムの前記容器本体の前記第３の図柄が対向し得る領域を含む所定領域は、前記第２の図柄が形成されていない前記透明部分に含まれる、請求項２に記載の容器。
【請求項６】
前記フィルムには、更に、光学的読み取り可能なコードを表すコード図柄要素、当該容器に関する情報を表す第１情報図柄要素、当該容器に収容される内容物に関する情報を表す第２情報図柄要素、及び当該容器を使用した製品の製造者及び又は販売者に関する情報を表す第３情報図柄要素の少なくとも１つを含む第３の図柄が前記第２の図柄の図柄要素に重なることなく形成された、請求項２記載の容器。
【請求項７】
前記第３の図柄において、少なくとも前記コード図柄要素は、該コード図柄要素の色と異なる所定色の背景領域に形成された、請求項６記載の容器。
【請求項８】
前記容器本体には、更に、光学的読み取り可能なコードを表すコード図柄要素、当該容器に関する情報を表す第１情報図柄要素、当該容器に収容される内容物に関する情報を表す第２情報図柄要素、及び当該容器を使用した製品の製造者及び又は販売者に関する情報を表す第３情報図柄要素の少なくとも１つを含む第３の図柄が前記第１の図柄の前記一又は複数の図柄要素に重なることなく形成され、
前記フィルムを前記容器本体の外周を摺接回動させたときにそのフィルムの前記容器本体の前記第３の図柄が対向し得る領域を含む前記フィルムの所定領域は、前記第２の図柄が形成されていない前記窓部以外の前記透明部分に含まれる、請求項３または４に記載の容器。
【請求項９】
前記フィルムの前記不透明部分には、更に、光学的読み取り可能なコードを表すコード図柄要素、当該容器に関する情報を表す第１図柄要素、及び当該容器に収容される内容物に関する情報を表す第２図柄要素、及び当該容器を使用した製品の製造者及び又は販売者に関する情報を表す第３情報図柄要素の少なくとも１つを含む第３の図柄が前記第２の図柄の図柄要素に重なることなく形成された、３または４に記載の容器。
【請求項１０】
前記フィルムには、前記容器本体の周方向に配列され、前記容器本体の表面を部分的に露出させる一又は複数の切欠き部が形成された、請求項１乃至９のいずれかに記載の容器。
【請求項１１】
前記容器本体は、所定径の円筒胴部と、前記円筒胴部の上端縁から上方に徐々に縮径する上縮径部と、円筒胴部の下端縁から下方に徐々に縮径する下縮径部と、を有し、
前記フィルムは、前記容器本体の前記上縮径部及び前記下縮径部の少なくとも一方に摺接するように前記容器本体に装着された、請求項１乃至１０のいずれかに記載の容器。
【発明の詳細な説明】
【技術分野】
【０００１】
本発明は、外観図柄を変化させ得る容器に関する。
【背景技術】
【０００２】
缶、瓶等の容器の表面に施す装飾や内容物表示については、ラベルの装着や貼付、印刷により行われている。上記ラベルは、装着方法によりシュリンクラベル、ストレッチラベル、ロールラベル等に分類される。上記ラベルのうち、シュリンクラベルは、加熱により収縮する熱収縮性フィルムを使用するものであり、複雑な形状の容器であっても熱収縮により適合させることが可能である。そして、このシュリンクラベルは、強度が高く美観の優れた容器の包装と装飾を提供することができる。【０００３】
熱収縮性フィルム（シュリンクラベル）を利用した容器として、特許文献１に記載のもが知られている。この容器は、所定の描画線により形成される複数の図柄が表面に所定間隔で表示される容器本体と、この容器本体に回動自在に装着され、スクリーン部が形成された熱収縮フィルムとによって構成される。前記スクリーン部は、所定の幅を有する線状の不透明部と所定の幅を有する線状の透明部とが交互にかつ平行に複数設けられた構成となっている。このような容器では、熱収縮フィルムを回動させることにより、スクリーン部の複数の透明部から見える描画線が変わり、その結果、前記スクリーン通して見える図柄（外観図柄）が変化する。
【先行技術文献】
【特許文献】
【０００４】
【特許文献１】特開２００６−１５４５２０号公報
【発明の概要】
【発明が解決しようとする課題】
【０００５】
上述した特許文献１に記載された容器では、容器本体表面の複数の図柄が熱収縮性フィルムのスクリーン部において交互に配列された線状の不透明部及び透明部を介して見るものである。そのため、そのスクリーン部を介して表現できる図柄が限定的になり、装飾性の点で自由度の低いものとなっている。【０００６】
本発明は、このような事情に鑑みてなされたもので、装飾性及び趣味性を向上させ、かつ装飾性及び趣味性の自由度が高い、容器本体にフィルムが装着された構造の容器を提供するものである。
【課題を解決するための手段】
【０００７】
本発明に係る容器は、外観図柄が変化可能な容器であって、表面に第１の図柄が形成された容器本体と、前記容器本体の外周を摺接回動可能となるように前記容器本体に装着され、透明部分を含む筒状のフィルムと、を有し、前記フィルムに、前記透明部分を通して現れる前記第１の図柄とともに前記外観図柄を構成する第２の図柄が形成された、構成となる。【０００８】
このような構成によれば、筒状のフィルムを容器本体の外周を摺接回動させることで、フィルムの透明部分を通して現れる容器本体の表面に形成された第１の図柄と、フィルムに形成された第２の図柄との相対的な位置が変化する。その結果、フィルムの透明部分を通して現れる前記第１の図柄とフィルムに形成された第２の図柄との組み合わせにより形成される外観図柄が、そのフィルムの回動に従って変化するようになる。【０００９】
なお、ここで、図柄は、文字、記号、マーク、図形、図、絵、写真画等を要素（図柄要素）として含み得る。【００１０】
本発明に係る容器において、前記フィルムは、透明フィルムであって、前記第２の図柄以外の部分が前記透明部分として形成された、構成とすることができる。【００１１】
このような構成によれば、透明フィルムの第２の図柄以外の透明部分を通して、容器本体の表面に形成された第１の図柄が現れる。【００１２】
透明フィルムは、光を透過する性質があれば（不透明でなければ）よく、また、無色透明、有色透明のいずれのものでもよい。【００１３】
本発明に係る容器において、前記フィルムは、不透明部分と、前記透明部分としての窓部と、を有し、前記第１の図柄は、前記フィルムを前記容器本体の外周を摺接回動させたときの前記窓部の移動軌跡に対向する前記容器本体の領域に形成された一又は複数の図柄要素を含み、前記不透明部分は、前記第２の図柄を含む、構成とすることができる。【００１４】
このような構成によれば、筒状のフィルムを容器本体の外周を摺接回動させることにより、容器本体の第１の図柄に含まれる一又は複数の図柄要素が、フィルムの窓部（透明部分）から現れたり、フィルムの不透明部分に隠れたりする。その結果、フィルムの透明部分（窓部）を通して現れる第１の図柄とフィルムに形成された前記第２の図柄との組み合わせにより形成される外観図柄が、そのフィルムの回動に従って変化するようになる。【００１５】
本発明に係る容器において、前記第１の図柄に含まれる前記一又は複数の図柄要素は、光学的に読み取り可能なコードを表すコード図柄要素を含む、構成とすることができる。【００１６】
このような構成によれば、筒状のフィルムを容器本体の外周を摺接回動させることにより、容器本体の第１の図柄に含まれるコード図柄要素が、フィルムの窓部（透明部分）から現れたり、フィルムの不透明部分に隠れたりする。これにより、利用者は、フィルムの不透明部分に隠れているコード図柄要素を、フィルムを回動させることにより、利用できるように（光学的に読み取り可能に）することができる。【００１７】
本発明に係る容器において、前記容器本体には、更に、光学的に読み取り可能なコードを表すコード図柄要素、当該容器に関する情報を表す第１情報図柄要素、当該容器に収容される内容物に関する情報を表す第２情報図柄要素、及び当該容器を使用した製品の製造者及び又は販売者に関する情報を表す第３情報図柄要素の少なくとも１つを含む第３の図柄が形成され、前記フィルムを前記容器本体の外周を摺接回動させたときにそのフィルムの前記容器本体の前記第３の図柄が対向し得る領域を含む所定領域は、前記第２の図柄が形成されていない前記透明部分に含まれる、構成とすることができる。【００１８】
このような構成によれば、筒状のフィルムを容器本体の外周を摺接回動させた際に、フィルムに形成された第２の図柄は、常に、容器本体に形成された第３の図柄に重なることはない。そして、前記フィルムを容器本体の外周を摺接回動させることで、フィルムの透明部分を通して現れる容器本体の表面に形成された第１の図柄及び第３の図柄と、フィルムに形成された第２の図柄との相対的な位置が変化する。その結果、フィルムの透明部分を通して現れる前記第１の図柄及び第３の図柄とフィルムに形成された前記第２の図との組み合わせにより形成される外観図柄が、第２の図柄が第３の図柄に重なることなく、そのフィルムの回動に従って変化する。利用者は、フィルムと容器本体とがどのような相対的な位置関係にあったとしても、容器本体に形成された第３の図柄を、フィルムの第２の図柄に邪魔されることなく、視認または利用することができる。【００１９】
本発明に係る容器において、前記フィルムには、更に、光学的読み取り可能なコードを表すコード図柄要素、当該容器に関する情報を表す第１情報図柄要素、当該容器に収容される内容物に関する情報を表す第２情報図柄要素、及び当該容器を使用した製品の製造者及び又は販売者に関する情報を表す第３情報図柄要素の少なくとも１つを含む第３の図柄が前記第２の図柄の図柄要素に重なることなく形成された、構成とすることができる。【００２０】
このような構成によれば、筒状のフィルムを容器本体の外周を摺接回動させることで、フィルムの透明部分を通して現れる容器本体の表面に形成された第１の図柄と、フィルムに形成された第２の図柄及びその第２の図柄の図柄要素に重なることなく形成された第３の図柄との相対的な位置が変化する。その結果、フィルムの透明部分を通して現れる前記第１の図柄とフィルムに形成された前記第２の図及びその図柄要素に重なることのない第３の図柄との組み合わせにより形成される外観図柄が、そのフィルムの回動に従って変化するようになる。利用者は、フィルムと容器本体とがどのような相対位置的な関係にあったとしても、フィルムに形成された第３の図柄を、容器本体の第１の図柄によって隠されることなく、かつ、フィルムの第２の図柄の図柄要素に邪魔されることなく、視認または利用することができる。【００２１】
本発明に係る容器は、前記第３の図柄において、少なくとも前記コード図柄要素は、該コード図柄要素の色と異なる所定色の背景領域に形成された構成とすることができる。【００２２】
このような構成によれば、フィルムに形成されたコード図柄要素を、背景領域の所定色を背景にして確実に光学的に読み取ることができる。【００２３】
本発明に係る容器において、前記容器本体には、更に、光学的読み取り可能なコードを表すコード図柄要素、当該容器に関する情報を表す第１情報図柄要素、当該容器に収容される内容物に関する情報を表す第２情報図柄要素、及び当該容器を使用した製品の製造者及び又は販売者に関する情報を表す第３情報図柄要素の少なくとも１つを含む第３の図柄が前記第１の図柄の前記一又は複数の図柄要素に重なることなく形成され、前記フィルムを前記容器本体の外周を摺接回動させたときにそのフィルムの前記容器本体の前記第３の図柄が対向し得る領域を含む所定領域は、前記第２の図柄が形成されていない前記窓部以外の前記透明部分に含まれる、構成とすることができる。【００２４】
このような構成によれば、筒状のフィルムを容器本体の外周を摺接回動させることにより、容器本体の第１の図柄に含まれる一又は複数の図柄要素が、フィルムの窓部（透明部分）から現れたり、フィルムの不透明部分に隠れたりする。その際、容器本体に形成された第３の図柄は、フィルムに形成された第２の図柄に邪魔されることなく、フィルムの前記窓部以外の透明部分を通して現れる状態が維持される。その状態において、フィルムの窓部を通して現れる容器本体に形成された第１の図柄及びフィルムの窓部以外の透明部分を通して現れる容器本体に形成された第３の図柄とフィルムに形成された前記第２の図柄との組み合わせにより形成される外観図柄が、そのフィルムの回動に従って変化するようになる。利用者は、フィルムと容器本体とがどのような相対的な位置関係にあったとしても、容器本体に形成された第３の図柄を、フィルムの第２の図柄に邪魔されることなく、視認または利用することができる。【００２５】
本発明に係る容器において、前記フィルムの前記不透明部分には、更に、光学的読み取り可能なコードを表すコード図柄要素、当該容器に関する情報を表す第１図柄要素、及び当該容器に収容される内容物に関する情報を表す第２図柄要素、及び当該容器を使用した製品の製造者及び又は販売者に関する情報を表す第３情報図柄要素の少なくとも１つを含む第３の図柄が前記第２の図柄の図柄要素に重なることなく形成された、構成とすることができる。【００２６】
このような構成によれば、筒状のフィルムを容器本体の外周を摺接回動させることにより、容器本体の第１の図柄に含まれる一又は複数の図柄要素が、フィルムの窓部（透明部分）から現れたり、フィルムの不透明部分に隠れたりする。その際、フィルムの不透明部分に第２の図柄の図柄要素に重なることなく形成された第３の図柄が容器本体に形成された第１の図柄に重ならない状態が維持される。その状態において、フィルムの窓部を通して現れる第１の図柄と、フィルムの不透明部分に形成された第２の図柄及び第３の図柄との組み合わせにより形成される外観図柄が、そのフィルムの回動に従って変化するようになる。利用者は、フィルムと容器本体とがどのような相対的な位置関係にあったとしても、フィルムの不透明部分に第２の図柄の図柄要素に重なることなく形成された第３の図柄を、容器本体の第１の図柄に邪魔されることなく、視認または利用することができる。【００２７】
本発明に係る容器において、前記フィルムには、前記容器本体の周方向に配列され、前記容器本体の表面を部分的に露出させる一又は複数の切欠き部が形成された、構成とすることができる。【００２８】
このような構成によれば、フィルムに形成された切欠き部に指の腹をあてて容器本体を握ることにより、フィルムの容器本体に対する摺接回動をし難くさせることができる。これにより、例えば、容器本体の口部に設けられたキャップを回す際、容器本体の上縁部分を拭き取る際等、フィルムとともに容器本体を持ってその容器本体に回動力を加える際に、筒状のフィルム内で容器本体が空回りすることを防止することができる。【００２９】
本発明に係る容器において、前記容器本体は、所定径の円筒胴部と、前記円筒胴部の上端縁から上方に徐々に縮径する上縮径部と、円筒胴部の下端縁から下方に徐々に縮径する下縮径部と、を有し、前記フィルムは、前記容器本体の前記上縮径部及び前記下縮径部の少なくとも一方に摺接するように前記容器本体に装着された、構成とすることができる。【００３０】
このような構成によれば、筒状のフィルムが、容器本体の形状に沿って、上端部分及び下端部分の少なくとも一方が縮径するようになるので、その筒状のフィルムを、容器本体の上方向及び下方向の少なくとも一方に抜け難くすることができる。
【発明の効果】
【００３１】
本発明に係る容器によれば、容器本体に対してフィルムを回動させることで、容器本体に形成されて前記フィルムの透明部分を通して現れる第１の図柄とそのフィルムに形成された第２の図柄とにより構成される外観図柄が変化するので、装飾性及び趣味性を向上させることができ、かつ、前記外観図柄を構成する前記第１の図柄及び前記第２の図柄を自由に決めるできることから、その装飾性及び趣味性の自由度を向上させることができる。
【図面の簡単な説明】
【００３２】
【図１】図１は、本発明の第１の実施形態に係る容器（缶容器）の容器本体を示す正面図である。
【図２】図２は、図１に示す容器本体に装着される筒状のフィルムを示す切欠展開図である。
【図３】図３は、図１に示す容器本体に図２に示すフィルムが装着された構造の容器（缶容器）を示す正面図である（その１）。
【図４】図４は、図１に示す容器本体に図２に示すフィルムが装着された構造の容器（缶容器）を示す正面図である（その２）。
【図５Ａ】図５Ａは、本発明の第２の実施形態に係る容器（缶容器）の容器本体及び筒状のフィルムを示す正面図である。
【図５Ｂ】図５Ｂは、図５Ａに示す容器本体及びフィルムにより構成される容器（缶容器）を示す正面図である。
【図６】図６は、本発明の第３の実施形態に係る容器（缶容器）の容器本体を示す正面図である。
【図７】図７は、図６に示す容器本体に装着される筒状のフィルムを示す切欠展開図である。
【図８】図８は、図６に示す容器本体に図７に示すフィルムが装着された構造の容器（缶容器）を示す正面図である（その１）。
【図９】図９は、図６に示す容器本体に図７に示すフィルムが装着された構造の容器（缶容器）を示す正面図である（その２）。
【図１０】図１０は、本発明の第４の実施形態に係る容器（缶容器）の容器本体を示す正面図である。
【図１１】図１１は、図１０に示す容器本体に装着される筒状のフィルムを示す切欠展開図である。
【図１２】図１２は、図９に示す容器本体に図１１に示すフィルムを装着した構造の容器（缶容器）を示す正面図である（その１）。
【図１３】図１３は、図９に示す容器本体に図１１に示すフィルムを装着した構造の容器（缶容器）を示す正面図である（その２）。
【図１４】図１４は、本発明の第５の実施形態に係る容器（缶容器）の容器本体を示す正面図である。
【図１５】図１５は、図１４に示す容器本体に装着される筒状のフィルムの展開図である。
【図１６】図１６は、図１４に示す容器本体に図１５に示すフィルムを装着した構造の容器（缶容器）を示す斜視図である（その１）。
【図１７】図１７は、図１４に示す容器本体に図１５に示すフィルムを装着した構造の容器（缶容器）を示す斜視図である（その２）。
【図１８Ａ】図１８Ａは、本発明の第６の実施形態に係る容器（缶容器）の容器本体及び筒状のフィルムを示す正面図である。
【図１８Ｂ】図１８Ｂは、図１８Ａに示す容器本体及びフィルムにて構成される容器（缶容器）を示す正面図である。
【図１９Ａ】図１９Ａは、本発明の第７の実施形態に係る容器（缶容器）の容器本体及び筒状のフィルムを示す正面図である。
【図１９Ｂ】図１９Ｂは、図１９Ａに示す容器本体及びフィルムにて構成される容器（缶容器）を示す正面図である。
【図２０Ａ】図２０Ａは、本発明の第７の実施形態の第１の変形例に係る容器（缶容器）の容器本体及び筒状のフィルムを示す正面図である。
【図２０Ｂ】図２０Ｂは、図２０Ａに示す容器本体及びフィルムにて構成される容器（缶容器）を示す正面図である。
【図２１Ａ】図２１Ａは、本発明の第７の実施形態の第２変形例に係る容器（缶容器）の容器本体及び筒状のフィルムを示す正面図である。
【図２１Ｂ】図２１Ｂは、図２１Ａに示す容器本体及びフィルムにて構成される容器（缶容器）を示す正面図である。
【図２２Ａ】図２２Ａは、本発明の第８の実施形態に係る容器（缶容器）の容器本体及び筒状のフィルムを示す正面図である。
【図２２Ｂ】図２２Ｂは、図２２Ａに示す容器本体及びフィルムにて構成される容器（缶容器）を示す正面図である。
【図２３Ａ】図２３Ａは、本発明の第８の実施形態の第１変形例に係る容器（缶容器）の容器本体及び筒状のフィルムを示す正面図である。
【図２３Ｂ】図２３Ｂは、図２３Ａに示す容器本体及びフィルムにて構成される容器（缶容器）を示す正面図である。
【図２４Ａ】図２４Ａは、本発明の第８の実施形態の第２変形例に係る容器（缶容器）の容器本体及び筒状体のフィルムを示す正面図である。
【図２４Ｂ】図２４Ｂは、図２４Ａに示す容器本体及びフィルムにて構成される容器（缶容器）の正面図である。
【図２５Ａ】図２５Ａは、本発明の第８の実施形態の第３変形例に係る容器（缶容器）の容器本体及び筒状のフィルムを示す正面図である。
【図２５Ｂ】図２５Ｂは、図２５Ｂに示す容器本体及びフィルムにて構成される容器（缶容器）を示す正面図である。
【図２６Ａ】図２６Ａは、本発明の第９の実施形態に係る容器（ボトル缶容器）を示す正面図である。
【図２６Ｂ】図２６Ｂは、本発明の第９の実施形態の第１変形例に係る容器（エアゾール缶容器）を示す正面図である。
【図２６Ｃ】図２６Ｃは、本発明の第９の実施形態の第２変形例に係る容器（瓶容器）を示す正面図である。
【図２７Ａ】図２７Ａは、本発明の第１０の実施形態に係る容器（ボトル缶容器）を示す正面図である。
【図２７Ｂ】図２７Ｂは、本発明の第１０の実施形態の第１変形例に係る容器（ボトル缶容器）を示す正面図である。
【図２７Ｃ】図２７Ｃは、本発明の第１０の実施形態の第２変形例に係る容器（ボトル缶容器）を示す正面図である。
【図２７Ｄ】図２７Ｄは、本発明の第１０の実施形態の第３変形例に係る容器（ボトル缶容器）を示す正面図である。
【発明を実施するための形態】
【００３３】
本発明の実施の形態について図面を用いて説明する。
【００３４】
本発明の第１の実施の形態に係る容器である缶容器は、図１〜図４に示される。なお、図１は、容器本体を示す正面図であり、図２は、容器本体に装着される筒状のフィルムを示す切欠展開図であり、図３は、フィルムと容器本体とがある相対的な位置関係ある状態の缶容器を示す正面図であり、図４は、フィルムと容器本体とが他の相対的な位置関係にある状態の缶容器を示す正面図である。
【００３５】
図３において、缶容器１１（例えば、飲料缶）は、缶容器本体１２及び透明のフィルム２０によって構成されている。缶容器本体１２は、金属製（例えば、アルミ製）の丸型の缶体であって、図１に示すように、所定径の円筒胴部１３と、円筒胴部１３の上端縁から上方に続いて徐々に縮径する肩部１６（上縮径部）と、円筒胴部１３の下端縁から下方に続いて徐々に縮径し、底面１４と一体となる底部１５（下縮径部）と、肩部１６の上縁部に巻締により固定された缶蓋部１７とを有する構造となっている。なお、図１には示されていないが、缶蓋部１７の上面には、飲み口としての開口を形成するためのタブが設けられている。
【００３６】
缶容器本体１２の円筒胴部１３及び肩部１６の表面には、図柄（第１の図柄という）Ｄ１１が印刷（形成）されている。この第１の図柄Ｄ１１は、所定色（例えば、青）の背景部分に描画された文字列（「南極」、「ラムネ」、「しゅわっとおいしい」、「炭酸飲料・無果汁」、「南極の氷でキンキンに冷やされた」）、絵（複数の氷山を表す絵、複数の瓶を表す絵）を図柄要素として含む。この第１の図柄Ｄ１１は、南極の海に多くの氷山が浮いている景色をイメージさせる背景画に複数の文字列が配列された図柄となっている。
【００３７】
フィルム２０は、透明のフィルムであって、このフィルム２０として、ＰＳ（ポリスチレン）、ＰＥＴ（ポリエチレンテレフタレート）、ＰＳとＰＥＴとの積層体からなる熱収縮性のフィルムが用いられる。フィルム２０には、図２の切欠展開図に示すように、図柄（第２の図柄という）Ｄ２１が印刷（形成）されている。この第２の図柄Ｄ２１は、種々の態様で描かれた多くのペンギン（親子のペンギン、縞柄の浮袋を持ったペンギン）を図柄要素として含む。フィルム２０は、第２の図柄Ｄ２１（種々の態様で描かれた多くのペンギンを図柄要素として含む）以外の部分が透明部分として形成されている。
【００３８】
第２の図柄Ｄ２１が形成された熱収縮性のフィルム２０（図２参照）は、筒状にして第１の図柄Ｄ１１が形成された缶容器本体１２の円筒胴部１３及び肩部１６を囲むようにセットされる。そして、熱風等により加熱収縮させることで、フィルム２０が缶容器本体１２（円筒胴部１３及び肩部１６）に装着される。加熱温度を調整する等して収縮するフィルム２０の缶容器本体１２への密着度合いを調整することにより、フィルム２０を、所定値以上の回動力（トルク）で缶容器本体１２の外周を摺接回動可能なように装着することができる。更に、缶容器本体１２の印刷部分（第１の図柄Ｄ１１に対応）にワックスを添加すること、熱収縮性のフィルム２０に滑り性を向上させる滑剤（シリカ等）を添加することで、フィルム２０が缶容器本体１２の外周を摺接回動可能となる回動力（トルク）を調整することができる。
【００３９】
缶容器本体１２に熱収縮により密着した状態のフィルム２０は、肩部１６の形状に従って上方に向けて縮径されている。また、縮径により最小径となったフィルム２０の上端縁は、缶蓋部１７の周縁部分に突き当たっている。
【００４０】
上述したようにフィルム２０が缶容器本体１２に装着された構造の缶容器１１では、図３に示すように、フィルム２０の透明部分を通して缶容器本体１２の表面に形成された第１の図柄Ｄ１１（図１参照）が現れ、その第１の図柄Ｄ１１とフィルム２０に形成された第２の図柄Ｄ２１（図２参照）との組み合わせにより外観図柄が形成される。そして、所定値以上の回動力（トルク）をもってフィルム２０を缶容器本体１２の外周を摺接回動させると、フィルム２０の透明部分を通して現れる第１の図柄Ｄ１１とフィルム２０の第２の図柄Ｄ２１との相対的な位置が変化する。その結果、第１の図柄Ｄ１１と第２の図柄Ｄ２１との組み合わせにより形成される外観図柄が、フィルム２０の回動に従って変化する。具体的には、缶容器本体１２とフィルム２０との相対的な位置関係が、図３に示すものから図４に示すものに変化すると、外観図柄は、ペンギン（第２の図柄Ｄ２１）が氷山の浮いている海上（第１の図柄）にいる図柄（図３参照）から、ペンギン（第２の図柄Ｄ２１）が海上に浮いている氷山（第１の図柄）に乗った図柄（図４参照）に変化する。
【００４１】
上述したような缶容器１１によれば、缶容器本体１２に対してフィルム２０を回動させることで、缶容器本体１２に形成されてフィルム２０の透明部分を通して現れる第１の図柄Ｄ１１とそのフィルム２０に形成された第２の図柄Ｄ２１とにより構成される外観図柄が変化するので、缶容器１１の装飾性及び趣味性を向上させることができる。また、前記第１の図柄Ｄ１１及び第２の図柄Ｄ２１を自由に構成することができるので、それら第１の図柄Ｄ１１及び第２の図柄Ｄ２１の組み合わせにより構成される外観図柄を自由に表出させることができる。その結果、缶容器１１の装飾性及び趣味性の自由度を向上させることができる。
【００４２】
缶容器本体１２に熱収縮によって装着されたフィルム２０は、容器本体１２の肩部１６を覆う部分において、その肩部１６の形状に応じて上方に向かって縮径しているので、缶容器本体１２の下方に向けて抜け難い。また、この縮径により最小径となったフィルム２０の上端縁は、缶蓋部１７の周縁部分に突き当たっているので、フィルム２０は、缶容器本体１２の上方に向けても抜け難い。従って、缶容器本体１２に熱収縮によって装着されたフィルム２０を、缶容器本体１２から抜けることなく、所定値以上の回動力（トルク）によって安定的に回動させることができる。
【００４３】
なお、フィルム２０は、下方に向けて縮径している底部１５（下縮径部）を覆うように熱収縮させて、缶容器本体１２に装着することができる。これにより、缶容器本体１２に装着されたフィルム２０を缶容器本体１２の下方に向けて抜け難くすることができる。この場合、フィルム２０の上端縁は、缶蓋部１７の周縁部分に突き当たるものでなくてもよい。
【００４４】
次に、図５Ａ及び図５Ｂを参照して、本発明の第２の実施の形態に係る容器（缶容器）について説明する。この第２の実施の形態に係る容器（缶容器）は、缶容器本体１２に形成される第１の図柄及びフィルム２０に形成される第２の図柄以外については、前述した第１の実施の形態に係る容器（缶容器）と同じである。なお、図５Ａは、本発明の第２の実施形態に係る容器（缶容器）の容器本体及び筒状のフィルムを示す正面図であり、図５Ｂは、図５Ａに示す容器本体及びフィルムにより構成される容器（缶容器）を示す正面図である。第２の実施の形態において、第１の実施の形態と同一の構成部分については、同一名称及び同一符号を使用する。
【００４５】
図５Ａにおいて、缶容器本体１２の円筒胴部１３の表面には、所定色の背景部分に描画された「ＢＥＥＲ」の文字列を図柄要素として含む第１の図柄Ｄ１２が印刷（形成）されている。また、熱収縮性の透明のフィルム２０には、「★」、「〇」、「×」のマークを図柄要素として含む第２の図柄Ｄ２２が印刷（形成）されている。フィルム２０は、第１の実施の形態の場合と同様に、熱収縮によって缶容器本体１２に装着される。そして、缶容器本体１２に装着されたフィルム２０は、所定値以上の回動力（トルク）によって缶容器本体１２の外周を摺接回動することが可能となる。
【００４６】
上述したような缶容器本体１２とフィルム２０とによって構成される缶容器１１では、図５Ｂに示すように、フィルム２０の透明部分を通して缶容器本体１２の表面に形成された第１の図柄Ｄ１２（ＢＥＥＲ：図５Ａ参照）が現れ、その第１の図柄Ｄ１２とフィルム２０に形成された第２の図柄Ｄ２２（★、〇、×：図５Ａ参照）との組み合わせにより外観図柄が形成される。そして、所定値以上の回動力（トルク）をもってフィルム２０を缶容器本体１２の外周を摺接回動させると、フィルム２０の透明部分を通して現れる第１の図柄Ｄ１２（ＢＥＥＲ）とフィルム２０の第２の図柄Ｄ２２（★、〇、×）との相対的な位置が変化する。その結果、第１の図柄Ｄ１２（ＢＥＥＲ）と第２の図柄Ｄ２２（★、〇、×）との組み合わせにより構成される外観図柄が、フィルム２０の回動に従って変化する。
【００４７】
上述したような缶容器１１によれば、第１の実施の形態に係る缶容器と同様に、缶容器本体１２に対してフィルム２０を回動させることで、缶容器本体１２に形成されてフィルム２０の透明部分を通して現れる第１の図柄Ｄ１２（ＢＥＥＲ）とそのフィルム２０に形成された第２の図柄Ｄ２２（★、〇、×）とにより形成される外観図柄が変化する。従って、缶容器１１の装飾性及び趣味性を向上させることができ、その装飾性及び趣味性の自由度もまた向上させることができる。
【００４８】
次に、図６〜図９を参照して、本発明の第３の実施の形態に係る容器（缶容器）について説明する。この第３の実施の形態に係る容器（缶容器）は、缶容器本体１２に第１の図柄に加えて第３の図柄が形成される点で、前述した第１の実施の形態に係る容器（缶容器）と異なる。なお、図６は、容器本体を示す正面図であり、図７は、容器本体に装着される筒状のフィルムを示す切欠展開図であり、図８は、フィルムと容器本体とがある相対的な位置関係にある状態の缶容器を示す正面図であり、図９は、フィルムと缶容器本体とが他の相対的な位置関係にある状態の缶容器を示す正面図である。第３の実施の形態において、第１の実施の形態と同一の構成部分については、同一名称及び同一符号を使用する。
【００４９】
図６において、缶容器本体１２の円筒胴部１３及び肩部の表面には、第１の実施の形態の場合（図１参照）と同様に、南極の海に多くの氷山が浮いている景色をイメージさせる背景画に複数の文字列（南極、ラムネ等）が配列された第１の図柄Ｄ１３が印刷（形成）されている。また、缶容器本体１２における円筒胴部１３の比較的下方の所定部位には、第３の図柄Ｄ３１が形成されている。第３の図柄Ｄ３１は、矩形状となる白色の背景領域７５に形成された光学的に読み取り可能なバーコード（１次元コード）を表す黒色のコード図柄要素７１ａと、缶容器本体１２がリサイクル可能なアルミ製缶であることを表す材質表記図柄要素７１ｂ（容器に関する情報を表す第１情報図柄要素）とを図柄要素として含む。
【００５０】
熱収縮性のフィルム２０には、図７の切欠展開図に示すように、第１の実施の形態の場合（図２参照）と同様、種々の態様で描かれた多くのペンギンを図柄要素として含む第２の図柄Ｄ２３が印刷（形成）されている。フィルム２０は、缶容器本体１２の外周を摺接回動可能なように、熱収縮によりその缶容器本体１２に装着されるものであるが、フィルム２０を回動させたときにそのフィルム２０の缶容器本体１２に形成された第３の図柄Ｄ３１が対向し得る領域を含む所定領域、例えば、図７に示す下端縁から高さＨＬまでの帯状領域７３には、第２の図柄Ｄ２３（ペンギン等の図柄要素）が形成されていない（透明部分）。
【００５１】
上述したフィルム２０が熱収縮により缶容器本体１２に摺接回動可能に装着された構造となる缶容器１１では、フィルム２０を缶容器本体１２の外周を摺接回動させた際に、フィルム２０に形成された第２の図柄Ｄ２３は、常に、缶容器本体１２に形成された第３の図柄Ｄ３１に重なることはない。そして、図８及び図９に示すように、フィルム２０を缶容器本体１２の外周を摺接回動させることで、フィルム２０の透明部分（図７に示す高さＨＬの帯状領域７３を含む）を通して現れる缶容器本体１２の表面に形成された第１の図柄Ｄ１３（氷山等の絵及び文字を含む）及び第３の図柄Ｄ３１（コード図柄要素７１ａ及び材質表記図柄要素７１ｂを含む）と、フィルム２０に形成された第２の図柄Ｄ２３（ペンギン等の図柄要素を含む）との相対的な位置が変化する。その結果、フィルム２０の透明部分を通して現れる前記第１の図柄Ｄ１３及び第３の図柄Ｄ３１とフィルム２０に形成された第２の図柄Ｄ２３との組み合わせにより形成される外観図柄が、第２の図柄Ｄ２３が第３の図柄Ｄ３１に重なることなく、そのフィルム２０の回動に従って変化する。具体的には、缶容器本体１２とフィルム２０との相対的な位置関係が、図８に示すものから図９に示すものに変化すると、外観図柄は、ペンギン（第２の図柄Ｄ２３）が氷山の浮いている海上（第１の図柄１３）にいる図柄（図８参照）から、ペンギン（第２の図柄Ｄ２３）が海上に浮いている氷山（第１の図柄１３）に乗った図柄（図９参照）に変化する。そして、缶容器本体１２とフィルム２０との相対的な位置関係が図８に示すものであるときに、ある方向から見えている第３の図柄Ｄ３１（コード図柄要素７１ａ及び材質表記図柄要素７１ｂを含む）が、その相対的な位置関係が図９に示すものとなっても、その方向から見える。
【００５２】
上述したような缶容器１１によれば、缶容器本体１２に対してフィルム２０を回動させることで、缶容器本体１２に形成されてフィルム２０の透明部分を通して現れる第１の図柄Ｄ１３（氷山、文字等を含む）及び第３の図柄Ｄ３１（コード図柄要素７１ａ及び材質表示図柄要素７１ｂを含む）とそのフィルム２０に形成された第２の図柄Ｄ２３（ペンギンを含む）とにより構成される外観図柄が変化するので、缶容器１１の装飾性及び趣味性を向上させることができる。また、前記第１の図柄Ｄ１３及び第２の図柄Ｄ２３を自由に構成することができるので、それら第１の図柄Ｄ１３及び第３の図柄Ｄ３１と第２の図柄Ｄ２３との組み合わせにより構成される外観図柄を自由に表出させることができる。その結果、缶容器１１の装飾性及び趣味性の自由度を向上させることができる。
【００５３】
また、上述した構造の缶容器１１の利用者は、フィルム２０と缶容器本体１２とがどのような相対的な位置関係にあったとしても、缶容器本体１２に形成された第３の図柄Ｄ３１を、フィルム２０の第２の図柄Ｄ２３に邪魔されることなく、視認または利用することができる。具体的には、フィルム２０と缶容器本体１２とがどのような相対的な位置関係にあったとしても、第３の図柄Ｄ３１に含まれるコード図柄要素７１ａで表されるバーコード（１次元コード）を誤りなく光学的に読み取ることができ、第３の図柄Ｄ３１に含まれる材質表記図柄要素７１ｂから缶容器本体１２がリサイクル可能なアルミ製缶であることを間違うことなく知ることができる。
【００５４】
次に、図１０〜図１３を参照して、本発明の第４の実施の形態に係る容器（缶容器）について説明する。この第４の実施の形態に係る容器（缶容器）は、フィルム２０に第２の図柄に加えて第３の図柄が形成される点で、前述した第１の実施の形態に係る容器（缶容器）と異なる。なお、図１０は、容器本体を示す正面図であり、図１１は、容器本体に装着される筒状のフィルムを示す切欠展開図であり、図１２は、フィルムと容器本体とがある相対的な位置関係にある状態の缶容器を示す正面図であり、図１３は、フィルムと缶容器本体とが他の相対的な位置換気にある状態の缶容器を示す正面図である。第４の実施の形態において、第１の実施の形態と同一の構成部分については、同一名称及び同一符号を使用する。
【００５５】
図１０において、缶容器本体１２の円筒胴部１３及び肩部１６の表面には、第１の実施の形態の場合（図１参照）と同様に、南極の海に多くの氷山が浮いている景色をイメージさせる背景画に複数の文字列（南極、ラムネ等）が配列された第１の図柄Ｄ１４が印刷（形成）されている。
【００５６】
熱収縮性のフィルム２０には、図１１の切欠展開図に示すように、第１の実施の形態の場合（図２参照）と同様、種々の態様で描かれた多くのペンギンを図柄要素として含む第２の図柄Ｄ２４が印刷（形成）されている。また、フィルム２０には、第３の図柄Ｄ３２が第２の図柄Ｄ２４の図柄要素（ペンギン等）に重なることなく形成されている。第３の図柄Ｄ３２は、前述した第３の実施の形態の場合と同様に、矩形状となる白色の背景領域７５に形成された光学的に読み取り可能なバーコード（１次元コード）を表すコード図柄要素７１ａと、缶容器本体１２がリサイクル可能なアルミ製缶であることを表す材質表記図柄要素７１ｂ（容器に関する情報を表す第１情報図柄要素）とを図柄要素として含む。
【００５７】
上述したフィルム２０が熱収縮により缶容器本体１２に摺接回動可能に装着された構造となる缶容器１１では、図１２及び図１３に示すように、フィルム２０を缶容器本体１２の外周を摺接回動させることで、フィルム２０の透明部分を通して現れる第１の図柄Ｄ１４（氷山等の絵及び文字を含む）と、フィルム２０に形成された第２の図柄Ｄ２４（ペンギン等を含む）及びその第２の図柄Ｄ２４の図形要素（ペンギン等）に重なることなく形成された第３の図柄Ｄ３２（コード図柄要素７１ａ及び材質表記図柄要素７１ｂを含む）との相対的な位置が変化する。その結果、フィルム２０の透明部分を通して現れる第１の図柄Ｄ１４とフィルム２０に形成された第２の図柄Ｄ２４及びその第２の図柄Ｄ２４に重なることなく形成された第３の図柄Ｄ３２との組み合わせにより構成される外観図柄が、そのフィルム２０の回動に従って変化する。
【００５８】
具体的には、缶容器本体１２とフィルム２０との相対的な位置関係が、図１２に示すものから図１３に示すものに変化すると、外観図柄は、ペンギン（第２の図柄Ｄ２４）が氷山の浮いている海上（第１の図柄Ｄ１４）にいる図柄（図１２参照）から、ペンギン（第２の図柄Ｄ２４）が海上に浮いている氷山（第１の図柄１４）に乗っている図柄（図１３参照）に変化する。そして、缶容器本体１２とフィルム２０との相対的な位置関係が図１２に示すものであるときに、ある方向から見えていた第３の図柄Ｄ３２（コード図柄要素７１ａ及び材質表記図柄要素７１ｂを含む）が、その相対的な位置関係が図１３に示すものになると、その方向からではなく、他の方向から見える。
【００５９】
上述したような缶容器１１によれば、缶容器本体１２に対してフィルム２０を回動させることで、缶容器本体１２に形成されてフィルム２０の透明部分を通して現れる第１の図柄Ｄ１４（氷山、文字等を含む）とフィルム２０に形成された第２の図柄Ｄ２４（ペンギンを含む）及び第３の図柄Ｄ３２（コード図柄要素７１ａ及び材質表示図柄要素７１ｂを含む）とにより構成される外観図柄が変化するので、缶容器１１の装飾性及び趣味性を向上させることができる。また、前記第１の図柄Ｄ１４及び第２の図柄Ｄ２４を自由に構成することができるので、それら第１の図柄Ｄ１４と第２の図柄Ｄ２３及び第３の図柄Ｄ３２との組み合わせにより構成される外観図柄を自由に表出させることができる。その結果、缶容器１１の装飾性及び趣味性の自由度を向上させることができる。
【００６０】
上述した構造の缶容器１１の利用者は、フィルム２０と缶容器本体１２とがどのような相対的な位置関係にあったとしても、フィルム２０に形成された第３の図柄Ｄ３２を、缶容器本体１２の第１の図柄Ｄ１４によって隠されることなく、かつ、フィルム２０の第２の図柄Ｄ２４の図柄要素（ペンギン等）に邪魔されることなく、視認または利用することができる。具体的には、フィルム２０と缶容器本体１２とがどのような相対的な位置関係にあったとしても、第３の図柄Ｄ３２に含まれるコード図柄要素７１ａで表されるバーコード（１次元コード）を誤りなく光学的に読み取ることができ、第３の図柄Ｄ３２に含まれる材質表記図柄要素７１ｂから缶容器本体１２がリサイクル可能なアルミ製缶であることを間違うことなく知ることができる。特に、第３の図柄Ｄ３２に含まれるコード図柄要素７１ａが白色の背景領域７５に形成されているので、フィルム２０の透明部分を通して現れる缶容器本体１２に形成された第１の図柄Ｄ１４（線図等）を誤って光学的に読み取ることなく、より確実に、コード図柄要素７１ａで表されるバーコードを光学的に読み取ることができる。
【００６１】
次に、図１４〜図１７を参照して、本発明の第５の実施の形態に係る容器（缶容器）について説明する。この第５の実施の形態に係る容器（缶容器）は、第２の図柄が形成されるフィルム２０に透明部分となる窓部が形成され、缶容器本体１２の表面に形成される第１の図柄にフィルム２０の前記窓部を通して現れ得る一又は複数の図柄要素を含むことを特徴としている。なお、図１４は、容器本体を示す正面図であり、図１５は、容器本体に装着される筒状のフィルムを示す展開図であり、図１６は、フィルムと容器本体とがある相対的な位置関係にある状態の缶容器を示す正面図であり、図１７は、フィルムと容器本体とが他の相対的な位置関係にある状態の缶容器を示す正面図である。
【００６２】
図１６において、缶容器５１（例えば、飲料缶）は、缶容器本体１２及びフィルム３０によって構成されている。缶容器本体１２は、第１の実施の形態の場合（図１参照）と同様に、金属製（例えば、アルミ製）の丸型の缶体であって、図１４に示すように、円筒胴部１３と、円筒胴部１３の上縁端から上方に続いて徐々に縮径する肩部１６（上縮径部）と、円筒胴部１３の下端縁から下方に続いて徐々に縮径し、底面１４と一体となる底部１５（下縮径部）と、肩部１６の上縁部に巻締により固定された缶蓋部１７とを有する構造となっている。また、図１６に示すように、缶蓋部１７の上面（蓋面）１９には、飲み口としての開口を形成するためのタブ１８が設けられている。
【００６３】
缶容器本体１２における円筒胴部１３の表面には、第１の図柄Ｄ１５が印刷（形成）されている。この第１の図柄Ｄ１５は、複数の駅名を表す文字列（「横浜／ＹＯＫＯＨＡＭＡ」、「名古屋／ＮＡＧＯＹＡ」、「東京／ＴＯＵＫＹＯＵ」（図１６参照））、及び背景部分に描画された複数の駅名のそれぞれで表される地域をイメージできる建造物（「観覧車」、「城」、「タワー」（１６参照）））の絵を図柄要素として含む。複数の駅名を表す文字列は、円筒胴部１３の比較的上方部分にその周方向に所定の間隔をもって配列されている。また、円筒胴部１３の各駅名の文字列の下方に当該駅名で表される地域をイメージできる建造物の絵が配置されている。例えば、文字列「横浜／ＹＯＫＯＨＡＭＡ」の下方に横浜をイメージできる「観覧車」の絵が、文字列「名古屋／ＮＡＧＯＹＡ」の下方に名古屋をイメージできる「城」の絵が、文字列「東京／ＴＯＵＫＹＯＵ」の下方に東京をイメージできる「タワー」の絵が、それぞれ配置されている。
【００６４】
フィルム３０は、第１の実施の形態の場合と同様に、熱収縮性を有するフィルムである。図１５に示すように、フィルム３０の全体が所定色（例えば、白系の色）で着色されており、その所定色の不透明部分に透明部分としての２つの上窓部３３ａ、３３ｂと、２つの下窓部３５ａ、３５ｂとが形成されている。２つの上窓部３３ａ、３３ｂのそれぞれは、矩形状であって、前述したように缶容器本体１２に形成された第１の図柄Ｄ１５の図柄要素としての各駅名を表す文字列が収まるサイズを有し、２つの下窓部３５ａ、３５ｂのそれぞれは、矩形状であって、その第１の図柄Ｄ１５の図柄要素としての各建造物の絵が収まるサイズを有している。上窓部３３ａと下窓部３５ａとは、また、上窓部３３ｂと下窓部３５ｂとは、それぞれ上下に配置されている。上下に配置される上窓部３３ａと下窓部３５ｂとの組と、上下に配置される上窓部３３ｂと下窓部３５ｂとの組との横方向の間隔は、缶容器本体１２に形成された２つの駅名の文字列の間隔（２つの建造物の絵の間隔）に対応する。
【００６５】
後述するようにフィルム３０が缶容器本体１２に摺接回動可能なように装着されるが、フィルム３０の回動に伴って移動する各上窓部３３ａ、３５ａの移動軌跡に対向した缶容器本体１２の領域に前述した複数の駅名の文字列（「横浜／ＹＯＫＯＨＡＭＡ」、「名古屋／ＮＡＧＯＹＡ」、「東京／ＴＯＵＫＹＯＵ」（図１６参照））が形成されている。また、フィルム３０の回動に伴って移動する各下窓部３３ｂ、３５ｂの移動軌跡に対向した缶容器本体１２の領域に前述した複数の建造物（「観覧車」、「城」、「タワー」（１６参照）））の絵が形成されている。
【００６６】
フィルム３０の所定色で着色された前記不透明部分には、第２の図柄Ｄ２５が含まれる。第２の図柄Ｄ２５は、複数の文字列（「トッキューサイダー」）と、複数の絵とを図柄要素として含む。また、第２の図柄Ｄ２５は、上記文字列及び絵の他、２つの上窓部３３ａ、３３ｂのそれぞれを鉄道の駅に見立てるように、各上窓部３３ａ、３３ｂに接続して横方向に延びる白黒の鉄道記号を図柄要素として含む。
【００６７】
フィルム３０の不透明部分には、更に、第３の図柄Ｄ３３が第２の図柄Ｄ２５の図柄要素（各文字列「トッキューサイダー」及び各絵）に重なることなく印刷（形成）されている。第３の図柄Ｄ３３は、光学的に読み取り可能なバーコード（１次元コード）を表すコード図柄要素７１ａと、缶容器本体１２がリサイクル可能なアルミ製缶であることを表す材質表記図柄要素７１ｂ（缶容器５１に関する情報を表す第１情報図柄要素）と、商品取り扱いの注意事項を表す注意事項図柄要素７１ｃ（第１情報図柄要素、缶容器５１に収容される内容物に関する情報を表す第２情報図柄要素）と、内容物の成分を表す成分情報図柄要素７１ｄ(第２情報図柄要素)と、商品標語を表す標語情報図柄要素７１ｅ（第２情報図柄要素）と、を図柄要素として含む。
【００６８】
第２の図柄Ｄ２５及び第３の図柄Ｄ３３が形成された熱収縮性のフィルム３０（図１５参照）は、第１の実施の形態の場合と同様に、熱収縮により、第１の図柄Ｄ１５が形成された缶容器本体１２（図１４参照）に装着される。熱収縮によるフィルム３０の缶容器本体１２への密着度合いは、所定値以上の回動力（トルク）でフィルム３０が缶容器本体１２の外周を摺接回動可能なように調整される。フィルム３０の上縁部分が缶容器本体１２の上方に向けて縮径する肩部１６に掛かるように、かつ、フィルム３０の下縁部分が缶容器本体１２の下方に向けて縮径する底部１５に掛かるように、当該フィルム３０が容器本体１２に装着される。これにより、フィルム３０は缶容器本体１２の上下の両方向に抜け難くなり、缶容器本体１２に熱収縮によって装着されたフィルム３０を所定値以上の回動力（トルク）によって安定的に回動させることができるようになる。
【００６９】
上述したようにフィルム３０が缶容器本体１２に装着された構造の缶容器５１では、フィルム３０を缶容器本体１２の外周を摺接回動させることで、缶容器本体１２の第１の図柄Ｄ１５に含まれる複数の駅名の文字列のそれぞれが、フィルム３０の上窓部３３ａ、３３ｂから現れたり、フィルム３０の不透明部分に隠れたりする。また、同時に、第１の図柄Ｄ１５に複数の駅名の文字列に対応して含まれる複数の建造物の絵のそれぞれが、フィルム３０の下窓部３５ａ、３５ｂから現れたり、フィルム３０の不透明部分に隠れたりする。そして、フィルム３０のその回動により、フィルム３０の上窓部３３ａ、３３ｂから現れる駅名の文字列と、フィルム３０の下窓部３５ａ、３５ｂから現れる建造物の絵が変化する。その結果、フィルム３０の上窓部３３ａ、３３ｂから現れる駅名の文字列（第１の図柄Ｄ１５の図柄要素）、フィルム３０の下窓部３５ａ、３５ｂから現れる建造物の絵（第１の図柄Ｄ１５の図柄要素）及び第３の図柄Ｄ３３（コード図柄要素７１ａ、材質表記図柄要素７１ｂ、注意事項図柄要素７１ｃ、成分情報図柄要素７１ｄ、標語情報図柄要素７１ｅ）と、フィルム３０に形成された第２の図柄Ｄ２５との組み合わせにより構成される外観図柄が、そのフィルム３０の回動に従って変化する。
【００７０】
具体的には、缶容器本体１２とフィルム３０との相対的な位置関係が、図１６に示すものから図１７に示すものに変化すると、外観図柄は、文字列（トッキューサイダー）及び種々の絵（第２の図柄Ｄ２５）を背景に、駅に見立てた上窓部３３ａから「東京」の文字列（第１の図柄Ｄ１５）が現れるとともに下窓部３５ａから東京をイメージできる「タワー」の絵（第１の図柄Ｄ１５）が現れている図柄から、それを背景に上窓部３３ａから「名古屋」の文字列が現れるとともに下窓部３５ａから名古屋をイメージできる「城」の絵が現れている図柄に変化する。そして、上記外観図柄に含まれる第３の図柄Ｄ３３（コード図柄要素７１ａ、材質表記図柄要素７１ｂ、注意事項図柄要素７１ｃ、成分情報図柄要素７１ｄ、標語情報図柄要素７１ｅ）は、缶容器５１のいずれの方向からも、第１の図柄Ｄ１５および第２の図柄Ｄ２５のいずれにも妨げられることなく、視認することができる。
【００７１】
上述したような缶容器５１によれば、缶容器本体１２に対してフィルム３０を回動させることで、缶容器本体１２に形成されてフィルム３０の上窓部３３ａ、３３及び下窓部３５ａ、３５ｂを通して現れる第１の図柄Ｄ１５（駅名の文字列、建造物の絵）とフィルム３０に形成された第２の図柄Ｄ２５（文字列、各種絵）及び第３の図柄Ｄ３３（コード図柄要素７１ａ等）とにより構成される外観図柄が変化するので、缶容器５１の装飾性及び趣味性を向上させることができる。また、フィルム３０の各窓部３３ａ、３３ｂ、３５ａ、３５ｂを通して現れる図柄要素を含む第１の図柄Ｄ１５及び第２の図柄Ｄ２５を自由に構成することができるので、それら第１の図柄Ｄ１５と第２の図柄Ｄ２５及び第３の図柄Ｄ３３との組み合わせにより構成される外観図柄を自由に表出させることができる。その結果、缶容器５１の装飾性及び趣味性の自由度を向上させることができる。
【００７２】
また、上述した構造の缶容器５１の利用者は、フィルム３０と缶容器本体１２とがどのような相対的な位置関係にあったとしても、フィルム３０に形成された第３の図柄Ｄ３３を、缶本体容器１２の第１の図柄Ｄ１５によって隠されることなく、かつ、フィルム２０の第２の図柄Ｄ２５の図柄要素に邪魔されることなく、視認または利用することができる。具体的には、フィルム２０と缶容器本体１２とがどのような相対的な位置関係にあったとしても、第３の図柄Ｄ３３に含まれるコード図柄要素７１ａで表されるバーコード（１次元コード）を誤りなく光学的に読み取ることができ、第３の図柄Ｄ３３に含まれる材質表記図柄要素７１ｂから缶容器本体１２がリサイクル可能なアルミ製缶であることを間違うことなく知ること等、ができる。
【００７３】
次に、図１８Ａ及び図１８Ｂを参照して、本発明の第６の実施の形態に係る容器（缶容器）について説明する。なお、図１８Ａは、容器本体及び筒状のフィルムを示す正面図であり、図１８Ｂは、図１８Ａに示す容器本体及びフィルムにて構成される缶容器を示す正面図である。なお、第６の実施の形態において、第５の実施の形態と同一の構成部分については、同一名称及び同一符号を使用する。
【００７４】
図１８Ａにおいて、缶容器本体１２の円筒胴部１３の表面には、所定色の背景部分に描かれた「★」、「〇」、「×」のマークを図柄要素として含む第１の図柄Ｄ１６が印刷（形成）されている。また、熱収縮性のフィルム３０には、所定色の不透明部分に矩形状の窓部３６が形成されるとともに、その不透明部分を背景に描画された「ＢＥＥＲ」の文字列を図柄要素として含む第２の図柄Ｄ２６が印刷（形成）されている。フィルム３０が熱収縮によって缶容器本体１２に装着されて、図１８Ｂに示すように、缶容器５２が構成される。缶容器本体１２に装着されたフィルム３０は、所定値以上の回動力（トルク）によって缶容器本体１２の外周を摺接回動することが可能となる。缶容器本体１２の第１の図柄Ｄ１６の３つのマーク「★」、「〇」、「×」と、フィルム３０の窓部３６との相対的な位置関係は、フィルム３０の回動に伴って移動する窓部３６の移動軌跡に対向した缶容器本体１２の領域に前記３つのマークが形成されている、という関係である。
【００７５】
上述したような缶容器５２では、フィルム３０を缶容器本体１２の外周を摺接回動させることにより、缶容器本体１２の第１の図柄Ｄ１６に含まれる３つのマーク「★」、「〇」、「×」のそれぞれが、フィルム３０の窓部３６から現れたり、フィルム３０の不透明部分に隠れたりする。そして、フィルム３０のその回動により、フィルム３０の窓部３６から現れるマーク（★、〇、×）が変化する。その結果、フィルム３０の窓部３６を通して現れる第１の図柄Ｄ１６（マーク「★」、「〇」、「×」；図１８Ｂ参照）とフィルム３０に形成された前記第２の図柄Ｄ２６（「ＢＥＥＲ」の文字列）との組み合わせにより構成される外観図柄（図１８Ｂ参照）が、そのフィルム３０の回動に従って変化する。
【００７６】
上述したような缶容器５２によれば、缶容器本体１２に対してフィルム３０を回動させることで、缶容器本体１２に形成されてフィルム３０の窓部３６を通して現れる第１の図柄Ｄ１６（マーク「★」、「〇」、「×」）とフィルム３０に形成された第２の図柄Ｄ２６（「ＢＥＥＲ」の文字列）とにより構成される外観図柄が変化するので、缶容器５２の装飾性及び趣味性を向上させることができ、また、缶容器５２の装飾性及び趣味性の自由度を向上させることができる。
【００７７】
次に、図１９Ａ及び図１９Ｂを参照して、本発明の第７の実施の形態に係る容器（缶容器）について説明する。なお、図１９Ａは、容器本体及び筒状のフィルムを示す正面図であり、図１９Ｂは、図１９Ａに示す容器本体及びフィルムにて構成される缶容器を示す正面図である。なお、第７の実施の形態において、第５の実施の形態と同一の構成部分については、同一名称及び同一符号を使用する。
【００７８】
図１９Ａにおいて、缶容器本体１２の円筒胴部１３の表面には、第６の実施の形態の場合（図１８Ａ参照）と同様に、所定色の背景部分に描かれた「★」、「〇」、「×」のマークを図柄要素として含む第１の図柄Ｄ１７が印刷（形成）されている。また、円筒胴部１３の表面の前記マークの下方部分に、第３の図柄Ｄ３４が印刷（形成）されている。第３の図柄Ｄ３４は、光学的に読み取り可能なバーコード（１次元コード）を表すコード図柄要素７１ａと、缶容器本体１２がリサイクル可能なアルミ製缶であることを表す材質表記図柄要素７１ｂ（第１情報図柄要素）と、内容物の種類（お酒）を表す内容物情報図柄要素７２(第２情報図柄要素)と、を図柄要素として含む。
【００７９】
熱収縮性のフィルム３０は、上下に２つの領域に分割されている。上側領域は所定色の不透明部分であって、下側領域は透明部分７７である。その不透明部分には、前述した第６の実施の形態の場合（図１８Ａ参照）と同様に、「ＢＥＥＲ」の文字列を図柄要素として含む第２の図柄Ｄ２７が印刷（形成）されるとともに、透明の窓部３６が形成されている。フィルム３０が熱収縮によって缶容器本体１２に装着されて、図１９Ｂに示すように、缶容器５２が構成される。缶容器本体１２に装着されたフィルム３０は、所定値以上の回動力（トルク）によって缶容器本体１２の外周を摺接回動することが可能となる。缶容器本体１２の第１の図柄Ｄ１７の３つのマーク「★」、「〇」、「×」と、フィルム３０の窓部３６との相対的な位置関係は、フィルム３０の回動に伴って移動する窓部３６の移動軌跡に対向した缶容器本体１２の領域に前記３つのマークが形成されている、という関係である。また、缶容器本体１２の第３の図柄要素Ｄ３４（コード図柄要素７１ａ、材質表記図柄要素７１ｂ、内容物情報図柄要素７２）と、フィルム３０の透明部分７７との相対的な位置関係は、フィルム３０が回動する際に常に第３の図柄Ｄ３４が透明部分７７から現れている、関係である。
【００８０】
上述したような缶容器５２では、フィルム３０を缶容器本体１２の外周を摺接回動させることにより、缶容器本体１２の第１の図柄Ｄ１７に含まれる３つのマーク「★」、「〇」、「×」のそれぞれが、フィルム３０の窓部３６から現れたり、フィルム３０の不透明部分に隠れたりする。そして、フィルム３０のその回動により、フィルム３０の窓部３６から現れるマーク（★、〇、×：図１９Ｂ参照）が変化する。その結果、フィルム３０の窓部３６を通して現れる第１の図柄Ｄ１７（マーク「★」、「〇」、「×」）及びフィルム３０の透明部分７７を通して現れる第３の図柄Ｄ３４（コード図柄要素７１ａ、材質表記図柄要素７１ｂ、内容物情報図柄要素７２）と、フィルム３０に形成された前記第２の図柄Ｄ２６（「ＢＥＥＲ」の文字列）との組み合わせにより構成される外観図柄が、そのフィルム３０の回動に従って変化する。
【００８１】
上述したような缶容器５２によれば、缶容器本体１２に対してフィルム３０を回動させることで、缶容器本体１２に形成されてフィルム３０の窓部３６を通して現れる第１の図柄Ｄ１７（マーク「★」、「〇」、「×」）とフィルム３０に形成された第２の図柄Ｄ２７（「ＢＥＥＲ」の文字列）とにより構成される外観図柄が変化するので、缶容器５２の装飾性及び趣味性を向上させることができ、また、缶容器５２の装飾性及び趣味性の自由度を向上させることができる。また、フィルム３０と缶容器本体１２とがどのような相対的な位置関係にあったとしても、缶容器本体１２に形成された第３の図柄Ｄ３４がフィルム３０の透明部分７７を通して現れる。従って、この缶容器５２の利用者は、フィルム３０の第２の図柄Ｄ２７に邪魔されることなく、視認または利用することができる。具体的には、フィルム３０と缶容器本体１２とがどのような相対的な位置関係にあったとしても、第３の図柄Ｄ３４に含まれるコード図柄要素７１ａで表されるバーコード（１次元コード）を誤りなく光学的に読み取ることができ、第３の図柄Ｄ３４に含まれる材質表記図柄要素７１ｂから缶容器本体１２がリサイクル可能なアルミ製缶であることを間違うことなく知ること等、ができる。
【００８２】
缶容器本体１２に形成される第３の図柄Ｄ３４を構成する複数の図柄要素（コード図柄要素７１ａ、材質表記図柄要素７１ｂ、内容物情報図柄要素７２）の配列の態様は、前述したもの（図１９Ａ、図１９Ｂ参照）に限定されない。前記第３の図柄Ｄ３４を構成するコード図柄要素７１ａ、材質表記図柄要素７１ｂ及び内容物情報図柄要素７２の配列の態様は、例えば、図２０Ａ及び図２０Ｂに示すようにすることができる（第７の実施の形態の第１変形例）。この例では、材質表記図柄要素７１ｂと内容物情報図柄要素７２とが上下に配置されるとともに、コード図柄要素７１ａで表されるバーコードが横方向に延びるようにそのコード図柄要素７１ａが配置される。
【００８３】
缶容器本体１２に形成される第１の図柄Ｄ１７を構成する図柄要素は、例えば、図２１Ａ及び図２１Ｂに示すように、マトリクス型２次元コード（以下、単に２次元コードという）を表すコード図柄要素７８を含むことができる（第７の実施の形態の第２変形例）。この２次元コードには、ポイント情報、お買い得情報、あたり／はずれ情報、イベント情報等のサービス情報を含めることができる。この場合、缶容器５２の製品の購入者は、その製品の購入後、フィルム３０を回動させて、図２１Ｂに示すように、フィルム３０の窓部３６からコード図柄要素７８（２次元コード）が現れる状態にし、その状態で、例えば、スマートフォンによって２次元コードを読み取ることにより、前記サービス情報を取得することができる。
【００８４】
このような缶容器５２によれば、缶容器５２の装飾性及び趣味性を向上させることができるともに、その缶製品（例えば、飲料品）のお得感を増すことができる。
【００８５】
次に、図２２Ａ及び図２２Ｂを参照して、本発明の第８の実施の形態に係る容器（缶容器）について説明する。この第８の実施の形態に係る容器（缶容器）は、フィルム３０に第２の図柄に加えて第３の図柄が形成される点で、前述した第７の実施の形態に係る容器（缶容器）と異なる。なお、図２２Ａは、容器本体及び筒状のフィルムを示す正面図であり、図２２Ｂは、図２２Ａに示す容器本体及びフィルムにて構成される缶容器を示す正面図である。なお、第８の実施の形態において、第７の実施の形態と同一の構成部分については、同一名称及び同一符号を使用する。
【００８６】
図２２Ａにおいて、缶容器本体１２の円筒胴部１３の表面には、所定色の背景部分に描かれた「★」、「〇」、「×」のマークを図柄要素として含む第１の図柄Ｄ１８が印刷（形成）されている。また、熱収縮性のフィルム３０には、所定色の不透明部分に矩形状の窓部３６が形成されるとともに、その不透明部分を背景に描画された「ＢＥＥＲ」の文字列を図柄要素として含む第２の図柄Ｄ２８が印刷（形成）されている。
【００８７】
フィルム３０の前記不透明部分には、更に、第３の図柄Ｄ３５が、第２の図柄Ｄ２８（文字列「ＢＥＥＲ」）に重なることなく、形成されている。この第３の図柄Ｄ３５は、矩形状となる白色の背景領域７５に形成された光学的に読み取り可能なバーコード（１次元コード）を表すコード図柄要素７１ａと、缶容器本体１２がリサイクル可能なアルミ製缶であることを表す材質表記図柄要素７１ｂ（第１情報図柄要素）と、商品取り扱いの注意事項を表す注意事項図柄要素７１ｃ（第１情報図柄要素、第２情報図柄要素）と、内容物の成分を表す成分情報図柄要素７１ｄ(第２情報図柄要素)と、内容物の種類（お酒）を表す内容物情報図柄要素７２(第２情報図柄要素)と、を図柄要素として含む。このようなフィルム３０が熱収縮によって缶容器本体１２に装着されて、図２２Ｂに示すように、缶容器５２が構成される。缶容器本体１２に装着されたフィルム３０は、所定値以上の回動力（トルク）によって缶容器本体１２の外周を摺接回動することが可能となる。缶容器本体１２の第１の図柄Ｄ１８の３つのマーク「★」、「〇」、「×」と、フィルム３０の窓部３６との相対的な位置関係は、フィルム３０の回動に伴って移動する窓部３６の移動軌跡に対向した缶容器本体１２の領域に前記３つのマークが形成されている、という関係である。
【００８８】
上述したような缶容器５２では、フィルム３０を缶容器本体１２の外周を摺接回動させることにより、缶容器本体１２の第１の図柄Ｄ１８に含まれる３つのマーク「★」、「〇」、「×」のそれぞれが、フィルム３０の窓部３６から現れたり、フィルム３０の不透明部分に隠れたりする。そして、フィルム３０のその回動により、フィルム３０の窓部３６から現れるマーク（★、〇、×）が変化する。その結果、フィルム３０の窓部３６を通して現れる第１の図柄Ｄ１８（マーク「★」、「〇」、「×」；図２２Ｂ参照）とフィルム３０に形成された前記第２の図柄Ｄ２８（「ＢＥＥＲ」の文字列）及び第３の図柄Ｄ３５（コード図柄要素７１ａ、材質表記図柄要素７１ｂ、注意事項図柄要素７１ｃ、成分情報図柄要素７１ｄ、内容物情報図柄要素７２)との組み合わせにより構成される外観図柄が、そのフィルム３０の回動に従って変化する。
【００８９】
上述したような缶容器５２によれば、缶容器本体１２に対してフィルム３０を回動させることで、缶容器本体１２に形成されてフィルム３０の窓部３６を通して現れる第１の図柄Ｄ１８（マーク「★」、「〇」、「×」）とフィルム３０に形成された第２の図柄Ｄ２６（「ＢＥＥＲ」の文字列）及び第３の図柄Ｄ３５（コード図柄要素７１ａ等)とにより構成される外観図柄が変化するので、缶容器５２の装飾性及び趣味性を向上させることができ、また、缶容器５２の装飾性及び趣味性の自由度を向上させることができる。
【００９０】
また、上述構造の缶容器５２の利用者は、フィルム３０と缶容器本体１２とがどのような相対的な位置関係にあったとしても、フィルム３０に形成された第３の図柄Ｄ３５を、缶容器本体１２の第１の図柄Ｄ１８によって隠されることなく、かつ、フィルム３０の第２の図柄Ｄ２８の図柄要素に邪魔されることなく、視認または利用することができる。具体的には、フィルム３０と缶容器本体１２とがどのような相対的な位置関係にあったとしても、第３の図柄Ｄ３５に含まれるコード図柄要素７１ａで表されるバーコード（１次元コード）を誤りなく光学的に読み取ることができ、第３の図柄Ｄ３５に含まれる材質表記図柄要素７１ｂから缶容器本体１２がリサイクル可能なアルミ製缶であることを間違うことなく知ること等、ができる。
【００９１】
缶容器本体１２に形成される第１の図柄Ｄ１８を構成する図柄要素は、例えば、図２３Ａ及び図２３Ｂに示すように、２次元コードを表すコード図柄要素７８を含むことができる（第８の実施の形態の第１変形例）。この場合、前述したの（図２１Ａ及び図２１Ｂ参照）と同様に、フィルム３０の窓部３６から現れるコード図柄要素７８が表す２次元コードを、例えば、スマートフォンによって読み取ることにより、サービス情報を取得することができる。従って、缶容器５２の装飾性及び趣味性を向上させることができるともに、その缶製品（例えば、飲料品）のお得感を増すことができる。
【００９２】
また、缶容器本体１２に形成される第１の図柄要素Ｄ１８を構成する図柄要素は、例えば、図２４Ａ及び図２４Ｂに示すように、懸賞イベントに係る「応募番号８８８８８８」の文字列（応募番号図柄要素という）８１を含めることができる（第８の実施の形態の第２変形例）。この場合、フィルム３０を回動させて、図２４Ｂに示すように、フィルム３０の窓部３６から缶容器本体１２の応募番号図柄要素８１が現れるようにすれば、その缶製品を購入した購入者は、その応募番号図柄８１によって表される「応募番号８８８８８」を用いて懸賞イベントに応募することができる。従って、この場合も、缶容器５２の装飾性及び趣味性を向上させることができるともに、その缶製品（例えば、飲料品）のお得感を増すことができる。
【００９３】
更に、缶容器本体１２に形成される第１の図柄要素Ｄ１８を構成する図柄要素は、例えば、図２５Ａ及び図２５Ｂに示すように、２次元コードを表すコード図柄要素７８、懸賞イベントに係る「応募番号８８８８８」の文字列からなる応募番号図柄要素８１、及びクイズ問題を表す情報図柄要素８２を含めることができる（第８の実施の形態の第３変形例）。この場合、フィルム３０を回動させて、図２４Ｂに示すように、コード図柄要素７８、応募番号図柄要素７８、及び情報図柄要素８２のそれぞれをフィルム３０の窓部３６を通して出現させることができる。従って、缶容器５２の装飾性及び趣味性を向上させることができるともに、その缶製品（例えば、飲料品）のお得感を更に増すことができる。
【００９４】
前述した各実施の形態及びその変形では、第３の図柄（Ｄ３１〜Ｄ３５）は、コード図柄要素７１ａ、材質表示図柄要素７１ｂ（第１情報図柄要素）、注意事項図柄要素７１ｃ（第１情報図柄要素、第２情報図柄要素）、成分情報図柄要素７１ｄ（第２情報図柄要素）、標語情報図要素７１ｅ（第２情報図柄要素）、及び内容物情報図柄要素７２(第２情報図柄要素)のうちのいくつかを含むものであったが、これに限定されない。前記第３の図柄は、光学的に読み取り可能なコードを表すコード図柄要素、容器に関する情報を表す第１情報図柄要素、容器に収容される内容物に関する情報を表す第２情報図柄要素、及び容器を使用した製品の製造者及び又は販売者に関する情報を表す第３情報図柄要素の少なくとも１つを含むものであればよい。
【００９５】
次に、第９の実施形態及びその第１及び変形例について、図２６Ａ〜図２６Ｃを参照して説明する。図２６Ａは本発明の第９の実施形態に係るボトル缶容器の正面図、図２６Ｂは本発明の第９の実施形態の第１変形例に係るエアゾール缶容器の正面図、図２６Ｃは本発明の第９の実施形態の第２変形例に係る瓶容器の正面図である。なお、本実施形態と第１及び第２変形例において共通する構成部分については、同一名称及び同一符号を使用する。
【００９６】
図２６Ａに示すように、本実施形態に係るボトル缶容器５３は、容器本体１２Ａがアルミ又はスチール製の円筒状容器であり、円筒形状の円筒胴部１３と、底面１４付きで円筒胴部１３の下端から徐々に縮径する筒形状の底部１５と、円筒胴部１３の上端から徐々に縮径する筒形状の肩部１６と、肩部１６の上部に位置する円筒形状の口部２２と、を有する。口部２２の外周面には容器本体１２Ａの内部を封止するためのキャップ（不図示）を螺着するためのネジ部が形成されている。容器本体１２Ａに熱収縮により摺接しながら回動可能に装着された筒状体のフィルム３０は、透明な熱収縮性フィルム３１に商品名と装飾等が印刷されて不透明部となり、その一部には印刷がされていない透明な窓部３６Ａが設けられている。筒状体のフィルム３０を回動させると、容器本体１２Ａに印刷表示された符号「〇」の図柄が窓部３６Ａを通して表示され、窓部３６Ａの上方で筒状体のフィルム３０に印刷表示された商品名「ＣＯＦＦＥＥ」と上下一体に表示される。
【００９７】
筒状体のフィルム３０をさらに回動させると、窓部３６Ａからは容器本体１２Ａに印刷された符号「〇」以外の図柄を表示させることができ、装飾性、趣味性に富んだ装飾を可能とする。なお、この例ではフィルム３０は主に容器本体１２Ａの円筒胴部１３に装着されているが、フィルム３０の上端は縮径する肩部１６の一部に、フィルム３０の下端は縮径する底部１５の一部にも装着されているので、第１の実施形態と同様に、容器本体１２Ａからの脱落し難いものとなっている。なお、上記した筒状体のフィルム３０については、円筒胴部１３の他に少なくとも肩部１６の一部に装着され、更に底部１５の少なくとも一部に装着されることで容器本体１２Ａから脱落し難いものとなる。
【００９８】
図２６Ｂに示すように、本実施形態の第１変形例に係るエアゾール缶容器５４は、容器本体１２Ｂがアルミ又はスチール製の円筒状容器であり、円筒形状の円筒胴部１３と、底面１４付きで円筒胴部１３の下端から縮径する筒形状の底部１５と、円筒胴部１３の上端から徐々に縮径する筒形状の肩部１６と、肩部１６の上部に巻締めにより取り付けられた缶蓋部１７と、を有する。缶蓋部１７の上面１９には内容物の噴射口（不図示）が設けられる。容器本体１２Ｂに熱収縮により摺接しながら回動可能に装着された筒状のフィルム３０は、透明な熱収縮性フィルム３１により形成されており、商品名と装飾等が印刷されて不透明部となり、その一部には印刷されていない透明な窓部３６Ｂが設けられている。フィルム３０を回動させると、容器本体１２Ｂに印刷表示された符号「〇」の図柄が窓部３６Ｂを通して表示され、窓部３６Ｂの上方で筒状体のフィルム３０に印刷表示された商品名「ＳＰＲＡＹ」と上下一体に表示される。
【００９９】
筒状体のフィルム３０をさらに回動させると、窓部３６Ｂからは容器本体１２Ｂに印刷された符号「〇」以外の図柄を表示させることができ、装飾性、趣味性に富んだ装飾を可能とする。本変形例では筒状体のフィルム３０は主に容器本体１２Ｂの円筒胴部１３に装着されているが、筒状体のフィルム３０の上端は縮径する肩部１６の一部に、筒状体のフィルム３０の下端は縮径する底部１５の一部にも装着されているので、第１の実施形態と同様に、容器本体１２Ｂからの脱落し難いものとなっている。なお、上記した筒状体のフィルム３０については、円筒胴部１３の他に少なくとも肩部１６の一部に装着され、更に底部１５の少なくとも一部に装着されることで容器本体１２Ａから脱落し難いものとなる。
【０１００】
図２６Ｃに示すように、本実施形態の第２変形例に係る瓶容器５５は、容器本体１２Ｃがガラス製の円筒状容器であり、円筒形状の円筒胴部１３と、底面１４付きで円筒胴部１３の下端の縮径する筒形状の底部１５と、円筒胴部１３の上端から徐々に縮径する筒形状の肩部１６と、肩部１６の上部に位置する円筒形状の口部２２と、を有する。口部２２の外周面には容器本体１２Ｃの内部を封止するためのキャップ（不図示）を螺着するためのネジ部が形成されている。容器本体１２Ｃに熱収縮により摺接しながら回動可能に装着された筒状体のフィルム３０は、透明な熱収縮性フィルム３１により形成されており、商品名と装飾等が印刷されて不透明部となり、その一部には印刷されていない透明な窓部３６Ｃが設けられている。筒状体のフィルム３０を回動させると、ガラス瓶である容器本体１２Ｃに印刷表示された〇の図柄が窓部３６Ｃを通して表示され、窓部３６Ｃの上方で筒状のフィルム３０に印刷表示された商品名「ＳＡＫＥ」と上下一体に表示される。
【０１０１】
筒状体のフィルム３０をさらに回動させると、窓部３６Ｃからは容器本体１２Ｃに印刷された符号「〇」以外の図柄を表示させることができ、装飾性、趣味性に富んだ装飾を可能とする。なお、本変形例では筒状体のフィルム３０は主に容器本体１２Ｃの円筒胴部１３に装着されているが、筒状体のフィルム３０の上端は縮径する肩部１６の一部に、筒状体のフィルム３０の下端は縮径する底部１５の一部にも装着されているので、第１の実施形態と同様に、容器本体１２Ｃからの脱落し難いものとなっている。なお、上記した筒状体のフィルム３０については、円筒胴部１３の他に少なくとも肩部１６の一部に装着され、更に底部１５の少なくとも一部に装着されることで容器本体１２Ａから脱落し難いものとなる。また、ガラス瓶の容器本体１２Ｃに直接符号「〇」の図柄を印刷表示しているが、符号「〇」の図柄を印刷したシール等を容器本体１２Ｃに貼着してもよい。
【０１０２】
次に、本発明の第１０の実施形態に係る容器（缶容器）について、図２７Ａを参照して説明する。図２７Ａは本発明の第１０の実施形態に係るボトル缶容器の正面図である。本実施形態の特徴は、筒状体のフィルム３０に開孔部（切欠き部）を周方向に所定間隔を設けて複数個形成したことである。第１の図柄が印刷表示された容器本体に、第２の図柄が印刷表示された熱収縮性フィルムを熱収縮させて回動可能に筒状体として装着させることは、第１の実施形態〜第９の実施形態と同様である。
【０１０３】
図２７Ａに示すように、本実施形態に係るボトル缶の容器本体１２Ａは、第９の実施形態（図２６Ａ参照）と同様の形状であり、筒状体のフィルム３０Ａが摺接して回動可能に装着されている。フィルム３０Ａは、透明な熱収縮性フィルム３１により形成されており、商品名と装飾等が印刷されて不透明部となり、その一部には印刷されていない透明な窓部３６Ｄが設けられている。フィルム３０Ａを回動させることで、容器本体１２Ａに印刷表示された符号「〇」の図柄が窓部３６Ｄを通して表示され、窓部３６Ｄの上方で筒状体のフィルム３０Ａに印刷表示された商品名「ＣＯＦＦＥＥ」と上下一体に表示される点は同様である。本実施形態の特徴である、筒状体のフィルム３０にその表面を部分的に露出させる開孔部６１Ａ（切欠き部）が周方向に所定間隔を設けて複数個形成されている（図２７Ａでは、４個の開孔部６１Ａが現れている）。開孔部６１Ａは、ボトル缶容器５３Ａを指で把持したときに、指が開孔部６１Ａから容器本体１２Ａの表面に当接することが可能となる程度の大きさで、スリット形状で縦長の長方形で例えば縦２０ｍｍ、横５ｍｍのサイズである。なお、予め熱収縮性フィルム３１に切れ目を入れておき、容器本体１２Ａに熱収縮させて筒状体のフィルム３０Ａに開孔部６１Ａを形成させるが、容器本体１２Ａに熱収縮性フィルム３１を熱収縮させて筒状体のフィルム３０Ａを形成した後、筒状体のフィルム３０Ａを切り欠いて開孔部６１Ａを設けてもよく、熱収縮性フィルム３１に予め開孔部６１Ａを形成してから容器本体１２Ａに熱収縮させても良い。
【０１０４】
このような複数の開孔部６１Ａを筒状体のフィルム３０Ａの周方向に複数個設けているので、複数の開孔部６１Ａの少なくとも１つを介して指が容器本体１２Ａに当接するため、筒状体のフィルム３０Ａの回動を抑制して口部２２に設けたキャップ（不図示）を回して開閉することが容易となる。
【０１０５】
本実施形態の第１〜第３変形例について図面２７Ｂ〜２７Ｄを参照して説明する。図２７Ｂは本発明の第１０の実施形態の第１変形例に係るボトル缶容器の正面図、図２７Ｃは本発明の第１０の実施形態の第２変形例に係るボトル缶容器の正面図、図２７Ｄは本発明の第１０の実施形態の第３変形例に係るボトル缶容器の正面図である。図２７Ｂ〜図２７Ｄに示すように、第１変形例のボトル缶容器５３Ｂの筒状体のフィルム３０Ｂに設けた開孔部６１Ｂは、筒状のフィルム３０Ｂの周方向に複数個設けた縦長の楕円形状で、第２変形例のボトル缶容器５３Ｃの筒状体のフィルム３０Ｃに設けた開孔部６１Ｃは、筒状のフィルム３０Ｃの周方向に複数個設けた円形状で、第３変形例のボトル缶容器５３Ｄの筒状のフィルム３０Ｄに設けた開孔部６１Ｄは、筒状体のフィルム３０Ｄの周方向に複数個設けた横長の楕円形状である。いずれのボトル缶容器５３Ｂ〜５３Ｄにおいても、開孔部６１Ｂ〜６１Ｄ（切欠き部）を指で複数個所押圧することで、容器本体１２Ａを把持することができるので、筒状体のフィルム３０Ｂ〜３０Ｄが回動可能に装着されていても、キャップ（不図示）を回動させて容易に開閉させることができる。
【０１０６】
上記したように第１０の実施形態では、筒状体のフィルム３０Ａ〜３０Ｄに容器本体１２Ａを直接把持できる開孔部６１Ａ〜６１Ｄを形成したので、回動可能な筒状体のフィルム３０Ａ〜３０Ｄを手で把持していても、容器本体１２Ａの回動を抑え、キャップを開閉することができる。なお、本実施形態ではネジ式のキャップ付きのボトル缶容器で説明したが、ネジ式のキャップ付きの容器であれば、瓶容器であってもよい。また、ネジ式のキャップ付き容器でなく、ヒンジ蓋、ＳＯＴ蓋、ＥＯＥ蓋の容器であってもよい。フィルム３０に設けた開孔部を介して容器本体を直接指で把持することができるので、開閉を容易に行うことができる。なお、開孔部６１Ａ乃至６１Ｄから容器本体１２Ａに印刷表示された第１の図柄を表示させることができる。
【０１０７】
以上、本発明のいくつかの実施形態及び実施例を説明したが、この実施形態や実施例は、一例として提示したものであり、発明の範囲を限定することは意図していない。
【産業上の利用可能性】
【０１０８】
以上、説明したように、本発明に係る容器は、容器本体に対してフィルムを回動させることで容器本体の第１の図柄と筒状体の第２の図柄とにより構成される外観図柄が変化するので、装飾性及び趣味性を向上させ、かつ装飾性及び趣味性の自由度が高いという効果を有し、外観図柄を変化させ得る容器として有用である。
【符号の説明】
【０１０９】
１１、５１、５２    缶容器
１２  缶容器本体
１３    円筒胴部
１５    底部
１６    肩部
１７    缶蓋部
１８    タブ
２０、３０、３０Ａ〜３０Ｄ    フィルム
３３ａ〜３３ｂ  上窓部
３５ａ〜３５ｂ  下窓部
３６、３６Ａ〜３６Ｄ  窓部
５３、５３Ａ〜５３Ｄ    ボトル缶容器
５４    エアゾール缶容器
５５    瓶容器
６１Ａ〜６１Ｄ    開孔部（切欠き部）
Ｄ１１〜Ｄ１８  第１の図柄
Ｄ２１〜Ｄ２８  第２の図柄
Ｄ３１〜Ｄ３５  第３の図柄
【図１】
2020067432.tif 000003
【図２】
2020067432.tif 000004
【図３】
2020067432.tif 000005
【図４】
2020067432.tif 000006
【図５Ａ】
2020067432.tif 000007
【図５Ｂ】
2020067432.tif 000008
【図６】
2020067432.tif 000009
【図７】
2020067432.tif 000010
【図８】
2020067432.tif 000011
【図９】
2020067432.tif 000012
【図１０】
2020067432.tif 000013
【図１１】
2020067432.tif 000014
【図１２】
2020067432.tif 000015
【図１３】
2020067432.tif 000016
【図１４】
2020067432.tif 000017
【図１５】
2020067432.tif 000018
【図１６】
2020067432.tif 000019
【図１７】
2020067432.tif 000020
【図１８Ａ】
2020067432.tif 000021
【図１８Ｂ】
2020067432.tif 000022
【図１９Ａ】
2020067432.tif 000023
【図１９Ｂ】
2020067432.tif 000024
【図２０Ａ】
2020067432.tif 000025
【図２０Ｂ】
2020067432.tif 000026
【図２１Ａ】
2020067432.tif 000027
【図２１Ｂ】
2020067432.tif 000028
【図２２Ａ】
2020067432.tif 000029
【図２２Ｂ】
2020067432.tif 000030
【図２３Ａ】
2020067432.tif 000031
【図２３Ｂ】
2020067432.tif 000032
【図２４Ａ】
2020067432.tif 000033
【図２４Ｂ】
2020067432.tif 000034
【図２５Ａ】
2020067432.tif 000035
【図２５Ｂ】
2020067432.tif 000036
【図２６Ａ】
2020067432.tif 000037
【図２６Ｂ】
2020067432.tif 000038
【図２６Ｃ】
2020067432.tif 000039
【図２７Ａ】
2020067432.tif 000040
【図２７Ｂ】
2020067432.tif 000041
【図２７Ｃ】
2020067432.tif 000042
【図２７Ｄ】
2020067432.tif 000043
【国際調査報告】
2020067432.tif 000044
2020067432.tif 000045
2020067432.tif 000046
2020067432.tif 000047